(57)【要約】【課題】グロメットのワイヤハーネス通し孔を拡開させた状態を維持する機能を有するグロメット拡開治具を提供する。【解決手段】グロメット拡開治具１は、支軸１３，１４によってベース部２に回転自在に取り付けられ、一対の把持部３１，４１同士が近付けられることにより一対の拡開爪８，９同士が離れる一対の操作レバー３，４と、一対の把持部３１，４１同士が近付けられることにより他端部側が支軸１３，１４から離れる方向に移動される一対のリンク部５ａ，５ｂと、一端に拡開爪１０が設けられ、リンク部５ａ，５ｂに連動して移動されるとともにベース部２に取り付けられたガイド部２３に移動自在に支持された移動部６と、移動部６が支軸１３，１４から離れる方向に移動されることでプレート７の回転中心とガイド部２３との間に生じるスペースに嵌められて、移動部６とベース部２及びガイド部２３とを固定するプレート７と、を有している。【選択図】図４
2010252569.tif 000002
【特許請求の範囲】
【請求項１】
グロメットに設けられたワイヤハーネス通し孔を拡げるためのグロメット拡開治具であって、
（イ）一端に前記ワイヤハーネス通し孔内に挿入される拡開爪が設けられ、他端に把持部が設けられ、中間部分が支軸によってベース部にそれぞれ回転自在に取り付けられ、前記一対の把持部同士が互いに近付けられることにより前記一対の拡開爪同士が互いに離れる一対の操作レバーと、
（ロ）一端部がそれぞれ各把持部に回転自在に取り付けられ、他端部同士が互いに回転自在に連結され、前記一対の把持部同士が互いに近付けられることにより前記他端部側が前記支軸から離れる方向に移動される一対のリンク部と、
（ハ）一端に前記ワイヤハーネス通し孔内に挿入される拡開爪が設けられ、他端が前記一対のリンク部の他端部に回転自在に連結され、前記リンク部に連動して移動されるとともに前記ベース部に取り付けられたガイド部に移動自在に支持された移動部と、
（ニ）前記支軸から離れる方向に移動された状態の前記移動部と前記ベース部及び前記ガイド部とを固定するロック手段と、を有していることを特徴とするグロメット拡開治具。
【請求項２】
前記ロック手段が、前記移動部と、前記ベース部または前記ガイド部とのうち一方に回転自在に取り付けられかつ他方に設けられた被係止部に係止することが可能な係止部が設けられたプレートで構成され、当該プレートが、前記係止部が前記被係止部に係止する位置と、前記係止部が前記被係止部に非係止となる位置と、に亘って前記一方に回転自在に取り付けられていることを特徴とする請求項１に記載のグロメット拡開治具。
【請求項３】
前記プレートに前記係止部が複数設けられており、これら複数の係止部が、当該プレートの回転中心からの距離がそれぞれ異なる位置に配置されていることを特徴とする請求項２に記載のグロメット拡開治具。
【請求項４】
前記プレートが、前記移動部が前記支軸から離れる方向に移動されることで前記プレートの回転中心と前記被係止部との間に生じるスペースに嵌められ、当該プレートの前記係止部としての外縁部が前記被係止部に当接することによって、前記移動部が前記支軸に近付く方向に移動されることを規制して、前記移動部と前記ベース部及び前記ガイド部とを固定することを特徴とする請求項２または請求項３に記載のグロメット拡開治具。
【請求項５】
前記一対の把持部同士が最も離れた位置に位置付けられた状態で、前記３つの拡開爪同士が互いに当接していることを特徴とする請求項１ないし請求項４のうち１項に記載のグロメット拡開治具。
【発明の詳細な説明】
【技術分野】
【０００１】
本発明は、自動車に取り付けられるグロメットのワイヤハーネス通し孔にワイヤハーネスを通す際に、前記ワイヤハーネス通し孔を拡開させるグロメット拡開治具に関するものである。
【背景技術】
【０００２】
種々の電子機器が搭載される自動車には、これら電子機器に電力供給や信号伝送を行うワイヤハーネスが配索されている。このワイヤハーネスは、複数の電線が束ねられた電線束と、これら電線束の端末などに取り付けられ、前記電子機器のコネクタに結合されるコネクタと、を有している。このワイヤハーネスは、電線束を損傷から保護するために、また、電線束に水等の液体が付着することを防止するために、グロメットが取り付けられることがある。
【０００３】
上記グロメットは、合成ゴム等の弾性材料で構成されており、上記ワイヤハーネスの電線束を通すワイヤハーネス通し孔を有している。このワイヤハーネス通し孔にワイヤハーネスの電線束を通す作業を行う際には、グロメット拡開治具を用いてワイヤハーネス通し孔を拡開させて行っていた（特許文献１を参照。）。
【０００４】
図８は従来のグロメット拡開治具を示す平面図である。図９は図８に示された従来のグロメット拡開治具がグロメットのワイヤハーネス通し孔を拡開させている状態を示す平面図である。
【０００５】
上記グロメット拡開治具２１１は、図８に示すように、支軸２１２の一端に拡開爪２１６ａ，２１６ｂが設けられ、他端に把持部２１３ａ，２１４ａがそれぞれ設けられた一対の操作レバー２１３，２１４と、把持部２１３ａ，２１４ａ間に架け渡され両把持部２１３ａ，２１４ａが互いに近付けられる操作により支軸２１２から離れる方向に引っ張られるバネ部材２１５と、一端に拡開爪２１８ａが設けられ、他端２１８ｂがバネ部材２１５に連結され、該バネ部材２１５に連動して移動されるロッド２１８と、支軸２１２に固定され、ロッド２１８を移動自在に支持するガイド部材２１７と、を有している。
【０００６】
上記構成のグロメット拡開治具２１１は、図９に示すように、３つの拡開爪２１６ａ，２１６ｂ，２１８ａがグロメット２２０のワイヤハーネス通し孔２２０ａ内に挿入された状態で、作業者が一対の操作レバー２１３，２１４の把持部２１３ａ，２１４ａを握ることによって、これら把持部２１３ａ，２１４ａが互いに近付けられるとともにロッド２１８が支軸２１２から離れる方向に移動されて、３つの拡開爪２１６ａ，２１６ｂ，２１８ａがワイヤハーネス通し孔２２０ａを拡開させる方向に移動される。そして、作業者が一対の操作レバー２１３，２１４の把持部２１３ａ，２１４ａから手を離すことによって、これら把持部２１３ａ，２１４ａが互いに離れるとともにロッド２１８が支軸２１２に近付く方向に移動されて、３つの拡開爪２１６ａ，２１６ｂ，２１８ａが互いに近接した元の位置に戻される。
【先行技術文献】
【特許文献】
【０００７】
【特許文献１】特開２００２−２００５３１号公報
【発明の概要】
【発明が解決しようとする課題】
【０００８】
しかしながら、前述したグロメット拡開治具２１１を用いてグロメット２２０のワイヤハーネス通し孔２２０ａを拡開させ、ワイヤハーネス通し孔２２０ａにワイヤハーネスの電線束を通す作業においては、以下に示す問題点があった。即ち、３つの拡開爪２１６ａ，２１６ｂ，２１８ａを互いに離れさせてワイヤハーネス通し孔２２０ａを拡開させた状態を維持するには、作業者が一対の把持部２１３ａ，２１４ａを握り続けておかねばならず、作業者の肉体的な負担が大きいという問題点があった。また、作業者は、一対の把持部２１３ａ，２１４ａを握り続けておかなければならないので、ワイヤハーネス通し孔２２０ａに電線束を通す作業を片手で行わねばならず、作業性が悪いという問題があった。
【０００９】
したがって、本発明の目的は、グロメットのワイヤハーネス通し孔を拡開させた状態を維持する機能を有するグロメット拡開治具を提供することにある。
【課題を解決するための手段】
【００１０】
上記目的を達成するために、請求項１に記載された発明は、グロメットに設けられたワイヤハーネス通し孔を拡げるためのグロメット拡開治具であって、（イ）一端に前記ワイヤハーネス通し孔内に挿入される拡開爪が設けられ、他端に把持部が設けられ、中間部分が支軸によってベース部にそれぞれ回転自在に取り付けられ、前記一対の把持部同士が互いに近付けられることにより前記一対の拡開爪同士が互いに離れる一対の操作レバーと、（ロ）一端部がそれぞれ各把持部に回転自在に取り付けられ、他端部同士が互いに回転自在に連結され、前記一対の把持部同士が互いに近付けられることにより前記他端部側が前記支軸から離れる方向に移動される一対のリンク部と、（ハ）一端に前記ワイヤハーネス通し孔内に挿入される拡開爪が設けられ、他端が前記一対のリンク部の他端部に回転自在に連結され、前記リンク部に連動して移動されるとともに前記ベース部に取り付けられたガイド部に移動自在に支持された移動部と、（ニ）前記支軸から離れる方向に移動された状態の前記移動部と前記ベース部及び前記ガイド部とを固定するロック手段と、を有していることを特徴とするグロメット拡開治具である。
【００１１】
請求項２に記載された発明は、請求項１に記載された発明において、前記ロック手段が、前記移動部と、前記ベース部または前記ガイド部とのうち一方に回転自在に取り付けられかつ他方に設けられた被係止部に係止することが可能な係止部が設けられたプレートで構成され、当該プレートが、前記係止部が前記被係止部に係止する位置と、前記係止部が前記被係止部に非係止となる位置と、に亘って前記一方に回転自在に取り付けられていることを特徴とするものである。
【００１２】
請求項３に記載された発明は、請求項２に記載された発明において、前記プレートに前記係止部が複数設けられており、これら複数の係止部が、当該プレートの回転中心からの距離がそれぞれ異なる位置に配置されていることを特徴とするものである。
【００１３】
請求項４に記載された発明は、請求項２または請求項３に記載された発明において、前記プレートが、前記移動部が前記支軸から離れる方向に移動されることで前記プレートの回転中心と前記被係止部との間に生じるスペースに嵌められ、当該プレートの前記係止部としての外縁部が前記被係止部に当接することによって、前記移動部が前記支軸に近付く方向に移動されることを規制して、前記移動部と前記ベース部及び前記ガイド部とを固定することを特徴とするものである。
【００１４】
請求項５に記載された発明は、請求項１ないし請求項４のうち１項に記載された発明において、前記一対の把持部同士が最も離れた位置に位置付けられた状態で、前記３つの拡開爪同士が互いに当接していることを特徴とするものである。
【発明の効果】
【００１５】
請求項１記載の本発明によれば、（イ）一端に前記ワイヤハーネス通し孔内に挿入される拡開爪が設けられ、他端に把持部が設けられ、中間部分が支軸によってベース部にそれぞれ回転自在に取り付けられ、前記一対の把持部同士が互いに近付けられることにより前記一対の拡開爪同士が互いに離れる一対の操作レバーと、（ロ）一端部がそれぞれ各把持部に回転自在に取り付けられ、他端部同士が互いに回転自在に連結され、前記一対の把持部同士が互いに近付けられることにより前記他端部側が前記支軸から離れる方向に移動される一対のリンク部と、（ハ）一端に前記ワイヤハーネス通し孔内に挿入される拡開爪が設けられ、他端が前記一対のリンク部の他端部に回転自在に連結され、前記リンク部に連動して移動されるとともに前記ベース部に取り付けられたガイド部に移動自在に支持された移動部と、（ニ）前記支軸から離れる方向に移動された状態の前記移動部と前記ベース部及び前記ガイド部とを固定するロック手段と、を有しているので、前記一対の把持部に触れることなく、３つの前記拡開爪によって前記ワイヤハーネス通し孔を拡開させた状態を維持することができる。
【００１６】
請求項２に記載の本発明によれば、前記ロック手段が、前記移動部と、前記ベース部または前記ガイド部とのうち一方に回転自在に取り付けられかつ他方に設けられた被係止部に係止することが可能な係止部が設けられたプレートで構成され、当該プレートが、前記係止部が前記被係止部に係止する位置と、前記係止部が前記被係止部に非係止となる位置と、に亘って前記一方に回転自在に取り付けられているので、前記プレートを回転させる容易な動作によって、前記支軸から離れる方向に移動された状態の前記移動部と前記ベース部及び前記ガイド部とを固定することができる。
【００１７】
請求項３に記載の本発明によれば、前記プレートに前記係止部が複数設けられており、これら複数の係止部が、当該プレートの回転中心からの距離がそれぞれ異なる位置に配置されているので、１つの前記プレートによって、所定の間隔で固定される３つの前記拡開爪間の間隔を複数設定することができる。
【００１８】
請求項４に記載の本発明によれば、前記プレートが、前記移動部が前記支軸から離れる方向に移動されることで前記プレートの回転中心と前記被係止部との間に生じるスペースに嵌められ、当該プレートの前記係止部としての外縁部が前記被係止部に当接することによって、前記移動部が前記支軸に近付く方向に移動されることを規制して、前記移動部と前記ベース部及び前記ガイド部とを固定するので、簡素な構成の前記ロック手段によって、前記一対の把持部に触れることなく、３つの前記拡開爪によって前記ワイヤハーネス通し孔を拡開させた状態を維持することができる。
【００１９】
請求項５に記載の本発明によれば、前記一対の把持部同士が最も離れた位置に位置付けられた状態で、前記３つの拡開爪同士が互いに当接しているので、これら拡開爪を前記ワイヤハーネス通し孔内に挿入する際、及び、これら拡開爪を前記ワイヤハーネス通し孔内から引き抜く際に、当該拡開爪が前記グロメットに引っ掛かることを防止できる。
【図面の簡単な説明】
【００２０】
【図１】本発明の一実施形態に係るグロメット拡開治具を示す平面図である。
【図２】図１に示されたグロメット拡開治具の裏側を示す平面図である。
【図３】図１中のＡ−Ａ線に沿った断面図である。
【図４】図１に示されたグロメット拡開治具の一対の把持部同士が互いに近付けられて複数の拡開爪同士が互いに離れた状態を示す平面図である。
【図５】図４中のＢ−Ｂ線に沿った断面図である。
【図６】図４に示されたグロメット拡開治具の一対の把持部同士がさらに近付けられて複数の拡開爪同士がさらに離れた状態を示す平面図である。
【図７】図６に示されたグロメット拡開治具の一対の把持部同士がさらに近付けられて複数の拡開爪同士がさらに離れた状態を示す平面図である。
【図８】従来のグロメット拡開治具を示す平面図である。
【図９】図８に示された従来のグロメット拡開治具がグロメットのワイヤハーネス通し孔を拡開させている状態を示す平面図である。
【発明を実施するための形態】
【００２１】
本発明の一実施の形態に係るグロメット拡開治具を図１ないし図７を参照して説明する。図１は本発明の一実施形態に係るグロメット拡開治具を示す平面図である。図２は図１に示されたグロメット拡開治具の裏側を示す平面図である。図３は図１中のＡ−Ａ線に沿った断面図である。図４は図１に示されたグロメット拡開治具の一対の把持部同士が互いに近付けられて複数の拡開爪同士が互いに離れた状態を示す平面図である。図５は図４中のＢ−Ｂ線に沿った断面図である。図６は図４に示されたグロメット拡開治具の一対の把持部同士がさらに近付けられて複数の拡開爪同士がさらに離れた状態を示す平面図である。図７は図６に示されたグロメット拡開治具の一対の把持部同士がさらに近付けられて複数の拡開爪同士がさらに離れた状態を示す平面図である。
【００２２】
図１ないし図７に示す本発明のグロメット拡開治具１は、合成ゴム等の弾性材料で構成されたグロメットに設けられたワイヤハーネス通し孔８０（図３及び図５を参照。）にワイヤハーネスの電線束を通す際に用いる治具であり、前記ワイヤハーネス通し孔８０を拡開させる、即ち拡げる、治具である。また、前記ワイヤハーネスは、自動車に搭載された電子機器に電力供給や信号伝送を行うものであり、複数の電線が束ねられた電線束と、これら電線束の端末などに取り付けられ、前記電子機器のコネクタに結合されるコネクタと、を有している。
【００２３】
上記グロメット拡開治具１は、（イ）一端にワイヤハーネス通し孔８０内に挿入される拡開爪８，９が設けられ、他端に把持部３１，４１が設けられ、中間部分が支軸１３，１４によってベース部２にそれぞれ回転自在に取り付けられ、一対の把持部３１，４１同士が図１中の矢印Ｙ１，Ｙ２に沿って互いに近付けられることにより一対の拡開爪８，９同士が図１中の矢印Ｙ３，Ｙ４に沿って互いに離れる一対の操作レバー３，４と、（ロ）一端部がそれぞれ回転ピン１５，１６によって各把持部３１，４１に回転自在に取り付けられ、他端部同士が回転ピン１７によって互いに回転自在に連結され、一対の把持部３１，４１同士が図１中の矢印Ｙ１，Ｙ２に沿って互いに近付けられることにより前記他端部側が支軸１３，１４から離れる矢印Ｙ５方向に移動される一対のリンク部５ａ，５ｂと、（ハ）一端にワイヤハーネス通し孔８０内に挿入される拡開爪１０が設けられ、他端が回転ピン１７によって一対のリンク部５ａ，５ｂの他端部に回転自在に連結され、リンク部５ａ，５ｂに連動して図１中の一点鎖線Ｐに沿って移動されるとともにベース部２に取り付けられたガイド部２３に移動自在に支持された移動部６と、（ニ）支軸１３，１４から離れる矢印Ｙ５方向に移動された状態の移動部６とベース部２及びガイド部２３とを固定するロック手段としてのプレート７と、を有している。
【００２４】
上記３つの拡開爪８，９，１０は、図１ないし図３に示すように、一対の把持部３１，４１同士が最も離れた位置に位置付けられた状態で、互いに当接している。
【００２５】
このような構成の本発明のグロメット拡開治具１は、拡開爪８，９，１０をワイヤハーネス通し孔８０内に挿入する際、及び、拡開爪８，９，１０をワイヤハーネス通し孔８０内から引き抜く際に、これら拡開爪８，９，１０を互いに当接させた状態にしておくことで、当該拡開爪８，９，１０が前記グロメットに引っ掛かることを防止できる。
【００２６】
上記ベース部２は、互いの間に一対の操作レバー３，４を挟む格好でこれら一対の操作レバー３，４を回転自在に取り付ける第１ベース部２１と、第２ベース部２２とで構成されている。また、第１ベース部２１と第２ベース部２２との間には、移動部６が位置付けられている。
【００２７】
上記移動部６は、一対の操作レバー３，４の対称軸をなす一点鎖線Ｐに沿って角柱状に延びかつ中央部分がくり抜かれる格好で枠状に形成された枠部６０と、この枠部６０のくり抜かれた穴６０ａ内に取り付けられ、一点鎖線Ｐに沿って円柱状に延びたロッド６１と、このロッド６１を内側に位置付けたコイルばね６２と、で構成されている。即ち、枠部６０は、一対の操作レバー３，４間、及び、第１ベース部２１と第２ベース部２２との間に位置付けられている。また、穴６０ａは、枠部６０の厚み方向（図３，５中に矢印Ｘで示す。）に沿って枠部６０を貫通している。また、ロッド６１は、長手方向の両端部が穴６０ａの内面に連なっている。また、上記拡開爪１０は、枠部６０の一端に設けられており、上記リンク部５ａ，５ｂの他端部及び上記回転ピン１７は、枠部６０の他端に取り付けられている。
【００２８】
上記ガイド部２３は、図３及び図５に示すように、ブロック状に形成され、ロッド６１を一点鎖線Ｐに沿って挿通させる挿通穴２３ａを有している。即ち、ガイド部２３の挿通穴２３ａが設けられた部分は、穴６０ａ内に位置付けられている。また、ガイド部２３の厚み方向（図３，５中に矢印Ｘで示す。）に沿った一方の外面２３ｂは、第１ベース部２１に重ねられ、ボルト１９によって第１ベース部２１に固定されている。また、ガイド部２３の厚み方向に沿った他方の外面２３ｃは、穴６０ａの外側に位置付けられ、かつ、枠部６０の第２ベース部２２と接する外面よりも当該枠部６０の厚み方向に沿った外側に突出している。また、上記コイルばね６２は、長手方向、即ち伸縮方向、の一端部が穴６０ａの内面に当接し、他端部がガイド部２３の外面２３ｄに当接している。
【００２９】
上記構成の移動部６は、一対の把持部３１，４１同士が図１中の矢印Ｙ１，Ｙ２に沿って互いに近付けられることにより、枠部６０及びロッド６１が、リンク部５ａ，５ｂに連動して矢印Ｙ５方向に移動される。また、一対の把持部３１，４１同士が互いに離されることにより、枠部６０及びロッド６１が、リンク部５ａ，５ｂに連動して矢印Ｙ５と反対方向に移動される。また、この際、ベース部２及びガイド部２３の位置は不動である。また、コイルばね６２は、枠部６０及びロッド６１が矢印Ｙ５方向に移動されることで、図４ないし図７に示すように収縮して、枠部６０を矢印Ｙ５と反対方向に付勢する弾性復元力を生じる。
【００３０】
このような構成の本発明のグロメット拡開治具１は、移動部６がロッド６１及びコイルばね６２を構成に有していることにより、当該グロメット拡開治具１に外力が加えられていない状態で、図１ないし図３に示す状態、即ち一対の把持部３１，４１同士が最も離れた位置に位置付けられ、３つの拡開爪８，９，１０が互いに当接した状態となる。
【００３１】
上記プレート７は、回転ピン１８によって枠部６０の他端に回転自在に取り付けられている。また、プレート７の回転中心、即ち回転ピン１８が取り付けられた部分、は、一対のリンク部５ａ，５ｂの他端部同士を連結した上記回転ピン１７とガイド部２３との間に配置されている。このプレート７は、係止部としての複数の外縁部７１，７２，７３により、階段状に形成された部分を有している。そして、３つの外縁部７１，７２，７３のうち最も把持部４１側に位置付けられた外縁部７１から前記回転中心までの距離は、最も把持部３１側に位置付けられた外縁部７３から前記回転中心までの距離、及び、中央に位置付けられた外縁部７２から前記回転中心までの距離よりも小さく形成されている。また、中央に位置付けられた外縁部７２から前記回転中心までの距離は、最も把持部３１側に位置付けられた外縁部７３から前記回転中心までの距離よりも小さく形成されている。
【００３２】
このようなプレート７は、図１に示す位置と図７に示す位置とに亘って回転自在に枠部６０に取り付けられている。即ち、プレート７は、最も把持部４１側に位置付けられた外縁部７１が、ガイド部２３の前記回転中心と相対する被係止部としての外縁部２３ｅよりも把持部３１側に位置付けられた非係止位置（図１を参照。）と、最も把持部３１側に位置付けられた外縁部７３が外縁部２３ｅと当接する位置（図７を参照。）とに亘って回転自在に枠部６０に取り付けられている。
【００３３】
また、プレート７は、一端がピン１２によって枠部６０に取り付けられかつ他端がプレート７に取り付けられ中央部が回転ピン１８に取り付けられたく字状のばね１１によって、把持部３１側に付勢されており、外力が加えられていない状態で、前述した非係止位置（図１を参照。）に位置付けられている。
【００３４】
また、図１に示すように、一対の把持部３１，４１同士が最も離れた位置に位置付けられ、３つの拡開爪８，９，１０が互いに当接した状態において、前記回転中心、即ち回転ピン１８、からガイド部２３の外縁部２３ｅまでの距離は、最も把持部４１側に位置付けられた外縁部７１から前記回転中心までの距離よりも小さく形成されている。
【００３５】
即ち、プレート７は、一対の把持部３１，４１同士が図１中の矢印Ｙ１，Ｙ２に沿って互いに近付けられて枠部６０及びロッド６１が矢印Ｙ５方向に移動されることで前記回転中心、即ち回転ピン１８、とガイド部２３の外縁部２３ｅとの間に生じるスペースに、複数の外縁部７１，７２，７３により階段状に形成された部分が嵌まることが可能な構成になっている。そして、プレート７は、図４、図６、図７にそれぞれ示すように、各外縁部７１，７２，７３が外縁部２３ｅに当接することによって、枠部６０及びロッド６１が矢印Ｙ５と反対方向に移動されることを規制して、枠部６０及びロッド６１とベース部２及びガイド部２３とを固定する。このことにより、一対の把持部３１，４１に触れることなく、３つの拡開爪８，９，１０を互いに所定の間隔をあけた状態で固定することができる。即ち、一対の把持部３１，４１に触れることなく、３つの拡開爪８，９，１０によってワイヤハーネス通し孔８０を拡開させた状態を維持することができる。
【００３６】
また、プレート７は、コイルばね６２の付勢力により、各外縁部７１，７２，７３が外縁部２３ｅを押さえる格好で当該外縁部２３ｅに当接しているので、ばね１１の付勢力によって非係止位置にずれることがない。
【００３７】
また、上述したように、プレート７には、回転中心からの距離がそれぞれ異なる３つの外縁部７１，７２，７３が設けられているので、１つのプレート７によって、所定の間隔で固定される３つの拡開爪８，９，１０間の間隔を３段階で変更することができる。具体的には、３つの拡開爪８，９，１０間の間隔を最小で固定する際には、図４に示すように、最も把持部４１側に位置付けられた外縁部７１をガイド部２３の外縁部２３ｅに当接させるようにする。また、３つの拡開爪８，９，１０間の間隔を最大で固定する際には、図７に示すように、最も把持部３１側に位置付けられた外縁部７３をガイド部２３の外縁部２３ｅに当接させるようにする。また、３つの拡開爪８，９，１０間の間隔を中間で固定する際には、図６に示すように、中央に位置付けられた外縁部７２をガイド部２３の外縁部２３ｅに当接させるようにする。
【００３８】
また、本発明においては、プレート７の各外縁部７１，７２，７３がガイド部２３の外縁部２３ｅに継続的に当接している状態を、「各外縁部７１，７２，７３（係止部）が外縁部２３ｅ（被係止部）に係止している」と定義する。
【００３９】
このような構成の本発明のグロメット拡開治具１は、プレート７を回転させる容易な動作により移動部６とベース部２及びガイド部２３とを固定することができるので、一対の把持部３１，４１に触れることなくワイヤハーネス通し孔８０を拡開させた状態を維持することができる。
【００４０】
また、本実施形態のグロメット拡開治具１は、ワイヤハーネス通し孔８０に横幅が広い平たい電線束を通す作業に最適な形状とするために、３つの拡開爪８，９，１０が、所定の間隔をあけた状態において、各拡開爪８，９，１０の先端部が二等辺三角形の各頂点をなすように形成されている。即ち、拡開爪８の先端部から拡開爪９の先端部までの距離が、拡開爪８，９の先端部から拡開爪１０の先端部までの距離よりも大きくなるように形成されている。
【００４１】
続いて、上述した本発明のグロメット拡開治具１を用いてワイヤハーネス通し孔８０にワイヤハーネスの電線束を通す作業について説明する。
【００４２】
作業者は、グロメット拡開治具１の両把持部３１，４１を片手で持ち、３つの拡開爪８，９，１０をワイヤハーネス通し孔８０内に挿入する。この際、引っ掛かりを防止するために、３つの拡開爪８，９，１０を互いに当接させた状態で挿入する。そして、両把持部３１，４１を握ることでこれらを互いに近付けて、３つの拡開爪８，９，１０を互いに離れさせ、ワイヤハーネス通し孔８０を拡げる。そして、両把持部３１，４１を握っている手と逆の手でプレート７を回転させて、３つの拡開爪８，９，１０を互いに所定の間隔をあけた状態で固定する。この際、グロメットのサイズ等に応じて、３種類の間隔のうち最適な間隔を選択し、プレート７の３つの外縁部７１，７２，７３のうちいずれかとガイド部２３の外縁部２３ｅとを当接させて３つの拡開爪８，９，１０を固定する。そして、グロメット拡開治具１から手を離し、拡げられたワイヤハーネス通し孔８０にワイヤハーネスの電線束を通す。この作業は片手で行っても両手で行っても良い。
【００４３】
そして、電線束がワイヤハーネス通し孔８０に通された後、グロメット拡開治具１の両把持部３１，４１を片手で持ち、両把持部３１，４１を握る。すると、ばね１１の付勢力によって、プレート７がガイド部２３の外縁部２３ｅから離れる方向に回転して非係止位置に位置付けられる。これにより、枠部６０及びロッド６１が矢印Ｙ５と反対方向に移動することが許容される。この状態で、両把持部３１，４１を握る力を緩めることにより、コイルばね６２の付勢力によって、一対の把持部３１，４１同士が最も離れた位置に位置付けられ、３つの拡開爪８，９，１０が互いに当接した状態に戻る。そして、３つの拡開爪８，９，１０をワイヤハーネス通し孔８０内から引き抜くことで作業が終了する。
【００４４】
また、上述した実施形態では、移動部６側にプレート７が取り付けられていたが、本発明では、ベース部２またはガイド部２３側にプレート７が回転自在に取り付けられていても良い。
【００４５】
また、上述した実施形態では、プレート７に係止部としての外縁部７１，７２，７３が複数設けられていたが、本発明では、プレート７に前記係止部が少なくとも１つ設けられていれば良い。
【００４６】
なお、前述した実施形態は、本発明の代表的な形態を示したに過ぎず、本発明は、実施形態に限定されるものではない。即ち、本発明の骨子を逸脱しない範囲で種々変形して実施することができる。
【符号の説明】
【００４７】
１  グロメット拡開治具
２  ベース部
３，４  操作レバー
５ａ，５ｂ  リンク部
６  移動部
７  プレート（ロック手段）
８，９，１０  拡開爪
１３，１４  支軸
２３  ガイド部
２３ｅ  外縁部（被係止部）
３１，４１  把持部
７１，７２，７３  外縁部（係止部）
８０  ワイヤハーネス通し孔
【図１】
2010252569.tif 000003
【図２】
2010252569.tif 000004
【図３】
2010252569.tif 000005
【図４】
2010252569.tif 000006
【図５】
2010252569.tif 000007
【図６】
2010252569.tif 000008
【図７】
2010252569.tif 000009
【図８】
2010252569.tif 000010
【図９】
2010252569.tif 000011